(57)【特許請求の範囲】
【請求項１】
光伝送システムにおいて、
送信した光信号に対し、利得帯域毎の光信号パワーを認識する光信号パワー認識手段と、利得帯域毎に周波数の異なるトーン信号を設定し、前記光信号パワーに応じて、前記トーン信号の成分を変化させるトーン信号設定手段と、前記光信号に前記トーン信号を含めて光回線を通じて送信する光送信手段と、を含む端局装置と、
利得帯域毎に設けられ、前記光回線に対して、利得帯域毎の励起光を入射し、制御信号にもとづく利得で前記光回線を増幅媒体とした光増幅を行う光増幅手段と、前記光回線を流れる光増幅後の前記光信号から、前記トーン信号を周波数毎に抽出して、前記トーン信号の周波数毎に抽出信号を生成するトーン信号抽出手段と、前記抽出信号と規準信号とを比較して、利得帯域毎の利得差をなくすように、前記利得を可変制御するための前記制御信号を生成する利得制御手段と、を含む中継装置と、
を備え、
前記トーン信号設定手段は、光信号パワーが小さい帯域の信号光に対しては前記中継装置側で利得を下降させるように、光信号パワーが大きい帯域の信号光に対しては前記中継装置側で利得を上昇させるように、前記トーン信号の成分の変化として周波数を変化させ、前記利得を下降させる場合には、前記周波数を規定周波数に近づける制御を行い、前記利得を上昇させる場合には、前記周波数を規定周波数から離す制御を行う、
ことを特徴とする光伝送システム。
【請求項２】
前記トーン信号抽出手段は、前記光信号を光／電気変換して電気信号を生成する光／電気変換手段と、前記周波数のフィルタリングを行って前記トーン信号を抽出するフィルタと、前記フィルタを通過した信号を平滑化して前記抽出信号を生成する平滑化手段と、から構成されることを特徴とする請求項１記載の光伝送システム。
【請求項３】
端局装置において、
送信した光信号に対し、利得帯域毎の光信号パワーを認識する光信号パワー認識手段と、
利得帯域毎に周波数の異なるトーン信号を設定し、前記光信号パワーに応じて、前記トーン信号の成分を変化させるトーン信号設定手段と、
前記光信号に前記トーン信号を含めて光回線を通じて送信する光送信手段と、
を備え、
前記トーン信号設定手段は、光信号パワーが小さい帯域の信号光に対しては中継局側で利得を下降させるように、光信号パワーが大きい帯域の信号光に対しては前記中継局側で利得を上昇させるように、前記トーン信号の成分の変化として周波数を変化させ、前記利得を下降させる場合には、前記周波数を規定周波数に近づける制御を行い、前記利得を上昇させる場合には、前記周波数を規定周波数から離す制御を行う、
ことを特徴とする端局装置。
【発明の詳細な説明】
【０００１】
【発明の属する技術分野】
本発明は、光伝送システムに関し、特に光伝送制御を行う光伝送システムに関する。
【０００２】
【従来の技術】
近年の光通信システムでは、ラマン増幅と呼ばれる光ファイバ内の非線形光学現象を利用した光ファイバ・アンプが注目されている。これは、物質内の振動現象により入射光と異なる波長の光が散乱される物理現象を利用して、光ファイバ伝送路全体に強い励起光を入射させて光増幅するものである（例えば、１．５５μｍの波長の光信号を増幅するために、１．４５μｍの励起光を光ファイバ伝送路に入射させる）。
【０００３】
このようなラマン増幅方式を中継器に適用して、光増幅を行うことにより、従来よりも長距離の光ファイバケーブルを敷設することができ、広帯域中継間隔の拡大が可能になる。
【０００４】
ここで、ラマン増幅を行う際には、通常は、励起光源として１波長以上持って（２種類以上の光源を一定発光させて）、それぞれの利得帯域で増幅を行う。このとき、それぞれの利得帯域に置かれる光信号の数が等しければ、それぞれの帯域に同じ利得を与えることになるので、良好な伝送特性を得ることができる。
【０００５】
【発明が解決しようとする課題】
しかし、上記のような従来のラマン増幅制御では、一方の利得帯域に置かれる光信号の数が他方に比べて少ないという状態が生じた場合、励起光パワーは少ない波長数側の信号光パワーに集中的に変換されるために、それぞれの帯域での利得が異なってしまい、伝送特性の劣化が生じてしまうといった問題があった。
【０００６】
本発明はこのような点に鑑みてなされたものであり、利得を光信号パワーの変動に応じて柔軟に変化させて、伝送特性の劣化を抑制し、高品質な光伝送制御を行う光伝送システムを提供することを目的とする。
【０００７】
【課題を解決するための手段】
上記課題を解決するために、光伝送システムが提供される。光伝送システムは、送信した光信号に対し、利得帯域毎の光信号パワーを認識する光信号パワー認識手段と、利得帯域毎に周波数の異なるトーン信号を設定し、前記光信号パワーに応じて、前記トーン信号の成分を変化させるトーン信号設定手段と、前記光信号に前記トーン信号を含めて光回線を通じて送信する光送信手段と、を含む端局装置と、利得帯域毎に設けられ、前記光回線に対して、利得帯域毎の励起光を入射し、制御信号にもとづく利得で前記光回線を増幅媒体とした光増幅を行う光増幅手段と、前記光回線を流れる光増幅後の前記光信号から、前記トーン信号を周波数毎に抽出して、前記トーン信号の周波数毎に抽出信号を生成するトーン信号抽出手段と、前記抽出信号と規準信号とを比較して、利得帯域毎の利得差をなくすように、前記利得を可変制御するための前記制御信号を生成する利得制御手段と、を含む中継装置と、を備える。また、前記トーン信号設定手段は、光信号パワーが小さい帯域の信号光に対しては前記中継装置側で利得を下降させるように、光信号パワーが大きい帯域の信号光に対しては前記中継装置側で利得を上昇させるように、前記トーン信号の成分の変化として周波数を変化させ、前記利得を下降させる場合には、前記周波数を規定周波数に近づける制御を行い、前記利得を上昇させる場合には、前記周波数を規定周波数から離す制御を行う。
【０００９】
【発明の実施の形態】
以下、本発明の実施の形態を図面を参照して説明する。図１は光伝送システムの原理図である。光伝送システム１は、端局装置１０と中継装置２０から構成されて光ファイバ伝送路で接続し、長距離の光伝送を行う。
【００１０】
なお、端局装置１０は、図には示していないが実際には光ファイバ伝送路の両端に設置され、中継装置２０も複数台設置される（海底光伝送システムに適用した場合には、光ファイバ伝送路及び複数の中継装置２０は海中に設置され、端局装置１０は例えば、陸上の局舎内に設置される）。
【００１１】
端局装置１０は、光信号パワー認識手段１１、トーン信号設定手段１２、光送信手段１３を含む。光信号パワー認識手段１１は、端局装置１０が上り回線Ｌ１から送信した光信号（サービス信号）に対し、利得帯域毎の光信号パワーを認識する。
【００１２】
光信号パワーの認識方法としては、例えば、受信側の端局装置（図示せず）が、端局装置１０からの光信号を受信して、状態情報を下り回線（図示せず）を通じて端局装置１０へ通知する。そして、光信号パワー認識手段１１は、その状態情報から、光ファイバ伝送路上を流れる利得帯域毎の光信号パワーを認識する。
【００１３】
トーン（Tone）信号設定手段１２は、利得帯域毎に周波数の異なるトーン信号を設定する。また、この際に光信号パワーに応じて（利得帯域毎の利得差をなくすように）、トーン信号の成分(変調度または周波数)を変化させる。そして、光送信手段１３は、光信号にトーン信号を含めて送信する。
【００１４】
中継装置２０は、光増幅手段２１、トーン信号抽出手段２２、利得制御手段２３を含む。また、利得帯域毎にこれらの構成手段が設けられ、図では利得帯域が２つある場合を示している。
【００１５】
光増幅手段２１−１、２１−２は、利得制御手段２３−１、２３−２で生成された制御信号ｃｎｔ１、ｃｎｔ２にもとづく利得で光増幅を行う。なお、光増幅は、光ファイバ伝送路に励起光を入射して、光ファイバ伝送路を増幅媒体としたラマン増幅を行うものとする。
【００１６】
トーン信号抽出手段２２−１、２２−２は、端局装置１０から送信されたトーン信号を抽出して、抽出信号ｄ１、ｄ２を生成する。利得制御手段２３−１、２３−２は、抽出信号ｄ１、ｄ２と規準信号とをそれぞれ比較して、利得帯域（以下、ラマン利得帯域）毎の利得差をなくすように、利得を可変制御するための制御信号ｃｎｔ１、ｃｎｔ２を生成する。
【００１７】
ここで、光信号とトーン信号Ｔ１からなる信号群ｇ１が置かれるラマン利得帯域Ｇ１と、光信号とトーン信号Ｔ２からなる信号群ｇ２が置かれるラマン利得帯域Ｇ２とに対し、信号群ｇ２の光信号の本数が信号群ｇ１の光信号の本数よりも少ないとする。すると、ラマン利得帯域Ｇ２の利得が上昇してしまい、ラマン利得帯域Ｇ１、Ｇ２で利得差が生じて伝送劣化が起こることになる。
【００１８】
このような場合、図では、ラマン利得帯域Ｇ２の利得を下げるために、変調度を上げるまたは周波数を規定周波数に近づけたトーン信号Ｔ２を中継装置２０に対し送信する。
【００１９】
そして、中継装置２０では、トーン信号Ｔ２による制御信号ｃｎｔ２にもとづく光増幅を行って、ラマン利得帯域Ｇ２の利得を下げてラマン増幅を行う。
また、ラマン利得帯域Ｇ１の利得を上げて利得差をなくしてもよい。この場合には、変調度を下げるまたは周波数を規定周波数から離したトーン信号Ｔ１を中継装置２０に対し送信する。
【００２０】
そして、中継装置２０では、トーン信号Ｔ１による制御信号ｃｎｔ１にもとづく光増幅を行って、ラマン利得帯域Ｇ１の利得を上げてラマン増幅を行う。さらに、トーン信号Ｔ１、Ｔ２の両方を操作して、利得差をなくすようにしてもよい。
【００２１】
次に問題点について図２〜図５を用いて説明する。図２は中継器を示す図である。中継器２００は、光ファイバケーブルに接続し、中継器２００内部の光増幅部２０１は、入力された光信号を増幅して出力する。
【００２２】
図３は光増幅部２０１の特性を示す図である。横軸が光増幅部２０１に入力する光信号の入力パワー、縦軸が光増幅部２０１の利得である。入力パワーが０からＰ１の領域は、光増幅部２０１の利得が一定である非飽和領域であり、Ｐ１以降の領域は、利得が低下していく飽和領域である。
【００２３】
ここで、光増幅部２０１の動作点を非飽和領域に設定した場合について考える（Ａ点）。光ファイバケーブルに何らかの回線障害等が発生すると、障害発生地点の後段に位置する光増幅部２０１への入力パワーが低下するが、光増幅部２０１は、入力パワーの変化に依存しない、利得が一定の非飽和領域で動作しているために、入力パワーが低下すると光増幅部２０１からの出力パワーも低下することになる。このため、出力パワーが低下したままで、各中継器２００で中継されていくことになる。
【００２４】
一方、光増幅部２０１の動作点を飽和領域に設定した場合について考える（Ｂ点）。光増幅部２０１は、入力パワーの変化に依存して、利得が変動する飽和領域で動作しているために、回線障害等の影響で入力パワーが低下したとしても（ｈ方向に移動）、利得は上昇方向にいくので、光増幅部２０１からの出力パワーは増加することになる。このため、中継器２００で中継される毎に利得が補償されて、障害発生前の光信号パワーが復元されていく（self-healing）。
【００２５】
したがって、通常の光中継制御では、光増幅部２０１の動作点を、入力パワーの変化に応じて利得が変動する飽和領域に設定して光増幅制御を行っている。
図４はラマン利得帯域を示す図である。横軸が周波数、縦軸が利得である。中継器２００は、光増幅部２０１内に、ラマン増幅用の２つの励起光源を有して、異なる波長の光を発光する。それぞれの利得帯域を、ラマン利得帯域Ｇ１、Ｇ２とする。
【００２６】
図５は問題点を説明するための図である。ラマン利得帯域Ｇ１、Ｇ２にそれぞれ置かれる光信号の数が同数、例えば１０本ずつであれば、それぞれの帯域に同じ利得を与えることになり、伝送特性に劣化は生じない。
【００２７】
一方、ラマン利得帯域Ｇ１に置かれる光信号の数が１０本であり、ラマン利得帯域Ｇ２に置かれる光信号の数が、例えば４本というように、アンバランスな状態になったとする。
【００２８】
この場合、ラマン利得帯域Ｇ２側では、信号本数が減ることにより、入力パワーが低下することになるので、図３で上述したように利得が上昇し、出力パワーが増加することになる。このため、ラマン利得帯域Ｇ１、Ｇ２で利得が異なってくる。
【００２９】
システムの初期運用状態などでは、このようなアンバランスな信号数での運用があり、ラマン利得帯域Ｇ１、Ｇ２で利得が異なると、パワーが高い方の光信号の伝送特性が劣化することになり、品質の低下を引き起こす。本技術では、ラマン利得を光信号パワーの変動（光信号数の変動）に応じて柔軟に変化させて、伝送特性の劣化を抑制し、光中継伝送制御の信頼性及び品質の向上を図るものである。
【００３０】
次に中継装置２０を具体化した構成について説明する（第１の実施の形態とする）。図６は中継装置２０の構成を示す図である。本技術に関係する構成要素のみ示す。中継装置２０は、光カプラＣ１〜Ｃ３、ＰＤ（フォトダイオード）、フィルタＦ１、Ｆ２、平滑化手段２２ａ−１、２２ａ−２、利得制御手段２３−１、２３−２を有する。また、ＬＤ１が、ラマン利得帯域Ｇ１用の励起光源であり、ＬＤ２がラマン利得帯域Ｇ２用の励起光源である。
【００３１】
次にラマン利得帯域Ｇ１側のラマン増幅制御について説明する。上り回線Ｌ１を通じて、端局装置１０から送信された光の信号は、光カプラＣ２で分岐されて、ＰＤで受信される。
【００３２】
ＰＤは、受信した光の信号を電気信号に変換する。フィルタＦ１は、トーン信号Ｔ１の周波数をフィルタリングするバンドパスフィルタである（フィルタＦ２は、トーン信号Ｔ２の周波数をフィルタリングするバンドパスフィルタである）。
【００３３】
フィルタＦ１を通過した信号は、平滑化手段２２ａ−１で平滑化されて抽出信号である直流電圧ｄ１に変換される。利得制御手段２３−１は、直流電圧ｄ１と規準電圧とを比較する。そして、比較結果にもとづいて制御信号である、ＬＤ１を駆動する駆動電流ｃｎｔ１を出力する。この駆動電流ｃｎｔ１により、ラマン利得帯域Ｇ１の利得を可変に設定する（ＬＤ１の励起パワーを可変に制御する）。
【００３４】
ＬＤ１は駆動電流ｃｎｔ１に応じた発光を行う。そして、ＬＤ１から出射された励起光は、光カプラＣ３、Ｃ１を通じて上り回線Ｌ１へ入射され、ラマン後方励起が行われる。なお、ラマン利得帯域Ｇ２側のラマン増幅制御も同様なので説明は省略する。
【００３５】
次にラマン利得帯域Ｇ１、Ｇ２の利得制御について詳しく説明する。各ラマン利得帯域に対して、利得の上げ下げを制御する場合には、端局装置１０では、ラマン利得帯域毎に、変調度または周波数を設定したトーン信号を送信し、中継装置２０では、受信したトーン信号の変調度または周波数に応じて、ＬＤを制御して利得を可変制御する。
【００３６】
まず、変調度の設定により利得を制御する場合について説明する。図７は変調度を説明する図である。トーン信号設定手段１２は、光信号にトーン信号を含ませる場合、光信号にトーン信号を重畳させて振幅変調した信号を生成する。
【００３７】
ここで、光信号の振幅をＢ、振幅変調がかけられたトーン信号部分の０to Peakの振幅をＡとした場合に、変調度＝Ａ／（Ａ＋Ｂ）である。なお、図に示すトーン信号の変調部分の周波数は、ラマン利得帯域毎に異なる周波数の値を設定する。
【００３８】
図８はトーン信号の変調度と利得の関係をグラフで示した図である。縦軸が中継装置２０における利得、横軸がトーン信号の変調度の強弱を示している。変調度が下がる（弱くなる）ほど中継装置２０でのラマン利得帯域の利得は上昇する方向に制御され、変調度が上がる（強くなる）ほど中継装置２０でのラマン利得帯域の利得は下降する方向に制御される。
【００３９】
ここで、ラマン利得帯域Ｇ１の利得を上げる場合、トーン信号設定手段１２は、図７で示した振幅Ａを下げて、トーン信号Ｔ１の変調度を下げる（弱める）。中継装置２０では、フィルタＦ１でトーン信号Ｔ１を抽出し、平滑化手段２２ａ−１で平滑化した、レベルが小さめの直流電圧ｄ１を出力することになる。
【００４０】
そして、利得制御手段２３−１は、直流電圧ｄ１と規準電圧とを比較する。この場合は、直流電圧ｄ１＜規準電圧であるため、ＬＤ１の励起パワーを上げるような駆動電流ｃｎｔ１を生成して、ＬＤ１へ送信する。ＬＤ１は、駆動電流ｃｎｔ１にもとづいて利得を上げた励起光を出射する。
【００４１】
一方、ラマン利得帯域Ｇ１の利得を下げる場合、トーン信号設定手段１２は、図７で示した振幅Ａを上げて、トーン信号Ｔ１の変調度を上げる（強める）。中継装置２０では、フィルタＦ１でトーン信号Ｔ１を抽出し、平滑化手段２２ａ−１で平滑化した、レベルが大きめの直流電圧ｄ１を出力する。
【００４２】
そして、利得制御手段２３−１は、直流電圧ｄ１と規準電圧とを比較する。この場合は、直流電圧ｄ１＞規準電圧であるため、ＬＤ１の励起パワーを下げるような駆動電流ｃｎｔ１を生成して、ＬＤ１へ送信する。ＬＤ１は、駆動電流ｃｎｔ１にもとづいて利得を下げた励起光を出射する。
【００４３】
図９は変調度と利得の関係を示す概念図である。（Ａ）は変調度が等しい場合、（Ｂ）は一方のトーン信号Ｔ１の変調度が他方より弱い場合、（Ｃ）は一方のトーン信号Ｔ１の変調度が他方より強い場合である。
【００４４】
ラマン利得帯域Ｇ１、Ｇ２それぞれのトーン信号Ｔ１、Ｔ２に対し、（Ａ）のように、トーン信号Ｔ１の変調度とトーン信号Ｔ２の変調度が等しければ（Ｔ１の変調度＝Ｔ２の変調度）、ラマン利得帯域Ｇ１、Ｇ２の互いの利得は等しい。
【００４５】
また、（Ｂ）のように、トーン信号Ｔ１の変調度がトーン信号Ｔ２の変調度よりも弱ければ（Ｔ１の変調度＜Ｔ２の変調度）、ラマン利得帯域Ｇ１の利得はラマン利得帯域Ｇ２の利得よりも大きくなる。
【００４６】
さらに、（Ｃ）のように、トーン信号Ｔ１の変調度がトーン信号Ｔ２の変調度よりも大きければ（Ｔ１の変調度＞Ｔ２の変調度）、ラマン利得帯域Ｇ１の利得はラマン利得帯域Ｇ２の利得よりも小さくなる。
【００４７】
次に周波数の設定により利得を制御する場合について説明する。図１０はトーン信号の周波数と利得の関係をグラフで示した図である。縦軸が中継装置２０における利得、横軸がトーン信号の周波数を示している。
【００４８】
図からわかるように、トーン信号の周波数が規定周波数（＝中継装置２０のフィルタＦで設定されている中心周波数）から離れるほど、中継装置２０でのラマン利得帯域の利得は上昇する方向に制御され、周波数が規定周波数に近づくほど中継装置２０でのラマン利得帯域の利得は下降する方向に制御される。
【００４９】
ここで、ラマン利得帯域Ｇ１の利得を上げる場合、トーン信号設定手段１２は、トーン信号Ｔ１の周波数を規定周波数（値をｆ１として規定周波数ｆ１と呼ぶ）から離して設定する。中継装置２０では、フィルタＦ１でトーン信号Ｔ１を抽出するが、フィルタＦ１の中心周波数の値は、規定周波数ｆ１であるため、この場合、フィルタロスが大きい通過特性となる。したがって、平滑化手段２２ａ−１で平滑化された信号は、レベルが小さめの直流電圧ｄ１となる。
【００５０】
そして、利得制御手段２３−１は、直流電圧ｄ１と規準電圧とを比較する。この場合は、直流電圧ｄ１＜規準電圧であるため、ＬＤ１の励起パワーを上げるような駆動電流ｃｎｔ１を生成して、ＬＤ１へ送信する。ＬＤ１は、駆動電流ｃｎｔ１にもとづいて利得を上げた励起光を出射する。
【００５１】
一方、ラマン利得帯域Ｇ１の利得を下げる場合、トーン信号設定手段１２は、トーン信号Ｔ１の周波数を規定周波数ｆ１に近づけて設定する。中継装置２０では、フィルタＦ１でトーン信号Ｔ１を抽出するが、フィルタＦ１の中心周波数の値は、規定周波数ｆ１であるため、この場合、フィルタロスが小さい通過特性となる。したがって、平滑化手段２２ａ−１で平滑化された信号は、レベルが大きめの直流電圧ｄ１となる。
【００５２】
そして、利得制御手段２３−１は、直流電圧ｄ１と規準電圧とを比較する。この場合は、直流電圧ｄ１＞規準電圧であるため、ＬＤ１の励起パワーを下げるような駆動電流ｃｎｔ１を生成して、ＬＤ１へ送信する。ＬＤ１は、駆動電流ｃｎｔ１にもとづいて利得を下げた励起光を出射する。
【００５３】
図１１は周波数と利得の関係を示す概念図である。（Ａ）は周波数間隔が等しい場合、（Ｂ）は一方のトーン信号Ｔ１の周波数間隔が他方より大きい場合、（Ｃ）は一方のトーン信号Ｔ１の周波数間隔が他方より小さい場合である。
【００５４】
ラマン利得帯域Ｇ１、Ｇ２それぞれのトーン信号Ｔ１、Ｔ２に対し、トーン信号Ｔ１の周波数と規定周波数ｆ１との周波数間隔をＤ１、トーン信号Ｔ２の周波数と規定周波数ｆ２との周波数間隔をＤ２とする。（Ａ）のように、周波数間隔Ｄ１と周波数間隔Ｄ２が等しければ（Ｄ１＝Ｄ２）、ラマン利得帯域Ｇ１、Ｇ２の互いの利得は等しい。
【００５５】
また、（Ｂ）のように、周波数間隔Ｄ１が周波数間隔Ｄ２よりも大きければ（Ｄ１＞Ｄ２）、ラマン利得帯域Ｇ１の利得は、ラマン利得帯域Ｇ２の利得よりも大きくなる。さらに、（Ｃ）のように、周波数間隔Ｄ１が周波数間隔Ｄ２よりも小さければ（Ｄ１＜Ｄ２）、ラマン利得帯域Ｇ１の利得は、ラマン利得帯域Ｇ２の利得よりも小さくなる。
【００５６】
次に送信側の端局装置１０と、受信側の端局装置（端局装置１００とする）での動作についてフローチャートを用いて説明する。図１２は端局装置の動作を示すフローチャートである。
〔Ｓ１〕端局装置１００は、端局装置１０が上りの光ファイバ伝送路を通じて送信した光信号（トーン信号が含まれる）を受信して、光信号のスペクトルを読み込む。そして、読み込み結果を状態情報として端局装置１０へ送信する。
〔Ｓ２〕端局装置１０の光信号パワー認識手段１１は、端局装置１００から送信されたスペクトルデータから、ラマン利得帯域毎の平均の光信号パワーを計算する。
〔Ｓ３〕光信号パワー認識手段１１は、計算結果が所定範囲内にあるか否かを判断する。所定範囲内にあればステップＳ４へ、なければステップＳ５へ行く。
〔Ｓ４〕トーン信号設定手段１２は、現状のトーン信号の変調度または周波数を維持する。
〔Ｓ５〕トーン信号設定手段１２は、あるラマン利得帯域の利得を上げたい場合には、そのラマン利得帯域内に置かれたトーン信号の変調度を下げるか、または周波数を規定周波数から離す設定制御を行う。利得を下げたい場合には、変調度を上げるか、または周波数を規定周波数に近づける設定制御を行う。
【００５７】
以上説明したように、端局装置１０から、ラマン利得帯域内の光信号パワーにもとづいて、変調度に強弱を付けたり、または周波数を規定周波数からずらしたりしたトーン信号を送信し、中継装置２０では、設定された変調度または周波数に応じて、ラマン利得帯域毎に利得の増減の制御を行う構成とした。
【００５８】
これにより、光増幅利得をラマン利得帯域の光信号パワーの変動に応じて柔軟に変化させることができるので、利得差が生じるようなアンバランスな状態をなくして、伝送特性の劣化を抑制することができ、高品質な光伝送制御を行うことが可能になる。
【００５９】
次に中継装置２０の他の構成例として、第２の実施の形態から第４の実施の形態について説明する。図１３は第２の実施の形態の構成を示す図である。第２の実施の形態は、２本の上り回線Ｌ１ａ、Ｌ１ｂを同時にラマン励起するような中継装置に対して本技術を適用した場合である。
【００６０】
中継装置２０ａは、上り回線Ｌ１ａ側に、光カプラＣ１、Ｃ２、ＰＤ２ａ、フィルタＦ１ａ、Ｆ２ａ、平滑化手段２２ａ−１、２２ａ−２、平均化手段２４−１、利得制御手段２３−１を有し、上り回線Ｌ１ｂ側に、光カプラＣ４、Ｃ５、ＰＤ２ｂ、フィルタＦ１ｂ、Ｆ２ｂ、平滑化手段２２ｂ−１、２２ｂ−２、平均化手段２４−２、利得制御手段２３−２を有する。
【００６１】
上り回線Ｌ１ａ側のトーン信号Ｔ１の抽出制御は、フィルタＦ１ａ、平滑化手段２２ａ−１で行われ、上り回線Ｌ１ｂ側のトーン信号Ｔ１の抽出制御は、フィルタＦ１ｂ、平滑化手段２２ｂ−１で行われる。
【００６２】
上り回線Ｌ１ａ側のトーン信号Ｔ２の抽出制御は、フィルタＦ２ａ、平滑化手段２２ａ−２で行われ、上り回線Ｌ１ｂ側のトーン信号Ｔ２の抽出制御は、フィルタＦ２ｂ、平滑化手段２２ｂ−２で行われる。また、ＬＤ１が、ラマン利得帯域Ｇ１用の励起光源であり、ＬＤ２がラマン利得帯域Ｇ２用の励起光源である。
【００６３】
次に上り回線Ｌ１ａ、Ｌ１ｂにおけるラマン利得帯域Ｇ１側のラマン増幅制御について説明する。上り回線Ｌ１ａを通じて、端局装置１０から送信された光の信号は、光カプラＣ２で分岐されて、ＰＤ２ａで受信される。また、上り回線Ｌ１ｂを通じて端局装置１０から送信された光の信号は、光カプラＣ５で分岐されて、ＰＤ２ｂで受信される。
【００６４】
ＰＤ２ａは、受信した光の信号を電気信号に変換し、フィルタＦ１ａは、上り回線Ｌ１ａ側のトーン信号Ｔ１をフィルタリングする。フィルタＦ１ａを通過した信号は、平滑化手段２２ａ−１で平滑化されて抽出信号である直流電圧ｄ１ａに変換される。
【００６５】
また、ＰＤ２ｂは、受信した光の信号を電気信号に変換し、フィルタＦ１ｂは、上り回線Ｌ１ｂ側のトーン信号Ｔ１をフィルタリングする。フィルタＦ１ｂを通過した信号は、平滑化手段２２ｂ−１で平滑化されて抽出信号である直流電圧ｄ１ｂに変換される。
【００６６】
平均化手段２４−１は、平滑化手段２２ａ−１からの直流電圧ｄ１ａと、平滑化手段２２ｂ−１からの直流電圧ｄ１ｂとを平均化して、平均化信号である平均電圧ｍ１を生成する。
【００６７】
利得制御手段２３−１は、平均電圧ｍ１と規準電圧とを比較する。そして、比較結果にもとづいて制御信号である、ＬＤ１を駆動する駆動電流ｃｎｔ１を出力する。この駆動電流ｃｎｔ１により、ラマン利得帯域Ｇ１の利得を可変に設定する。
【００６８】
ＬＤ１は駆動電流ｃｎｔ１に応じた発光を行う。そして、ＬＤ１から出射された励起光は、光カプラＣ３で両回線に分岐され、光カプラＣ１、Ｃ４を通じて上り回線Ｌ１ａ、Ｌ１ｂへ入射され、ラマン後方励起が行われる。なお、ラマン利得帯域Ｇ２側のラマン増幅制御も同様なので説明は省略する。
【００６９】
図１４は第３の実施の形態の構成を示す図である。第３の実施の形態は、３波長以上を制御する場合の構成である。中継装置２０ｂは、光カプラＣ１、Ｃ２、ＰＤ、フィルタＦ１〜Ｆｎ、平滑化手段２２ａ−１〜２２ａ−ｎ、利得制御手段２３−１〜２３−ｎを有する（フィルタ、平滑化手段、利得制御手段は、ラマン利得帯域がｎある場合に、それぞれに対応して配置される）。
【００７０】
また、ＬＤ１〜ＬＤｎそれぞれが、ラマン利得帯域Ｇ１〜Ｇｎ用の励起光源である。合波器２５は、ＬＤ１〜ＬＤｎからの励起光を合波して、光カプラＣ１を通じて、上り回線Ｌ１へ入射してラマン後方励起を行う。なお、基本動作は同様なので、その他の詳細説明は省略する。
【００７１】
図１５は第４の実施の形態の構成を示す図である。第４の実施の形態は、ＬＤの駆動をＯＮ／ＯＦＦ制御できる装置構成の場合である。中継装置２０ｃは、第１の実施の形態の中継装置２０に対して、あらたに駆動制御手段２６を有する。
【００７２】
ここで、ラマン利得帯域Ｇ１のみに光信号が置かれてサービスを実行するものとする。このときには、ラマン利得帯域Ｇ２用のＬＤ２は駆動させる必要はない。
【００７３】
このような場合、端局装置１０は、この旨を含む駆動情報を送信する。駆動情報は、光カプラＣ２を通じて、ＰＤで受信され、電気信号に変換されて、駆動制御手段２６へ出力される。
【００７４】
駆動制御手段２６は、駆動情報を認識する。そして、ＬＤ１に駆動電流を流す利得制御手段２３−１に対しては、駆動ＯＮの制御命令を送出する。また、ＬＤ２に駆動電流を流す利得制御手段２３−２に対しては、駆動ＯＦＦの制御命令を送出して、利得制御手段２３−２からの出力を停止させる。このように、駆動制御手段２６を用いて、ＬＤのＯＮ／ＯＦＦ制御を行うことにより、さらに効率のよい光中継制御が可能になる。
【００７５】
次に光伝送システム１の変形例について説明する。図１６は光伝送システム１の変形例を示す原理図である。光伝送システム１ａは、端局装置１０ａと、中継装置３０から構成される。なお、端局装置１０ａは、図１で上述した端局装置１０と構成手段及び基本的な動作は同じであるため説明は省略する。
【００７６】
ここで、上述した光伝送システム１は、あらかじめ中継装置内で設定された規準信号に対して、それぞれのラマン利得帯域の利得を可変制御する構成としたが、変形例の光伝送システム１ａでは、１つの抽出信号（トーン信号）を規準信号にすることで、端局装置１０ａから規準信号の設定を行って、利得の可変制御を行うものである。
【００７７】
中継装置３０は、第１の光増幅手段３１−１、第２の光増幅手段３１−２、特定トーン信号抽出手段３２−１、トーン信号抽出手段３２−２、利得制御手段３３を含む。
【００７８】
第１の光増幅手段３１−１は、特定利得帯域（規準信号にしたいトーン信号を含む利得帯域を特定利得帯域と呼ぶ。ここでは、ラマン利得帯域Ｇ１を特定利得帯域とする）に対し、一定発光制御により光増幅を行う。第２の光増幅手段は、特定利得帯域以外の利得帯域（例えば、ラマン利得帯域Ｇ２）毎に設けられ、制御信号ｃｎｔにもとづく利得で光増幅を行う。
【００７９】
特定トーン信号抽出手段３２−１は、特定利得帯域の側からトーン信号を抽出して特定抽出信号を生成する。トーン信号抽出手段３２−２は、特定利得帯域以外の利得帯域の側からトーン信号を抽出して抽出信号ｄを生成する。
【００８０】
利得制御手段３３は、特定抽出信号を規準信号とし、抽出信号ｄとこの規準信号とを比較して、利得帯域毎の利得差をなくすように、利得を可変制御するための制御信号ｃｎｔを生成する。
【００８１】
次に中継装置３０を具体化した構成について説明する（第１の変形例とする）。図１７は中継装置３０の構成を示す図である。中継装置３０は、光カプラＣ１〜Ｃ３、一定発光制御手段３１ａ、ＰＤ、フィルタＦ１、Ｆ２、平滑化手段３２ａ−１、３２ａ−２、利得制御手段３３を有する。
【００８２】
また、ＬＤ１が、ラマン利得帯域Ｇ１用の励起光源であり、ＬＤ２がラマン利得帯域Ｇ２用の励起光源である。そして、図の例では、ラマン利得帯域Ｇ１側のトーン信号Ｔ１を規準信号として使用する場合には、ＬＤ１は、一定発光制御手段３１ａからの制御を受けて一定発光を行う。
【００８３】
このような、中継装置３０では、一方のトーン信号Ｔ１を規準信号にしてラマン利得帯域Ｇ１側のＬＤ１を一定発光とし、ラマン利得帯域Ｇ２側の利得をこの規準電圧にもとづいて、可変制御する。
【００８４】
したがって、上述した光伝送システム１の場合では、ラマン利得帯域Ｇ１、Ｇ２の利得を双方動かして利得差をなくしていたが（一方だけ動かしてもよい）、変形例の光伝送システム１ａでは、規準となる１つのラマン利得帯域の利得に、その他のラマン利得帯域の利得を合わせることで利得差をなくしている（ここの例では、ラマン利得帯域Ｇ２の利得を、ラマン利得帯域Ｇ１側に合わせることで利得差をなくしている）。
【００８５】
次に中継装置３０の他の構成例として、第２の変形例から第４の変形例について説明する。ただし、第２の変形例から第４の変形例は、図１３〜図１５で上述した中継装置と同じ基本的な構成を持つので、特長部分のみ説明する。
【００８６】
図１８は第２の変形例の構成を示す図である。第２の変形例は、図１３で上述した中継装置２０ａに対応した変形例の構成を持つ。
中継装置３０ａは、上り回線Ｌ１ａ側に、光カプラＣ１、Ｃ２、ＰＤ３ａ、フィルタＦ１ａ、Ｆ２ａ、平滑化手段３２ａ−１、３２ａ−２、平均化手段３４−１を有し、上り回線Ｌ１ｂ側に、光カプラＣ４、Ｃ５、ＰＤ３ｂ、フィルタＦ１ｂ、Ｆ２ｂ、平滑化手段３２ｂ−１、３２ｂ−２、平均化手段３４−２を有する。
【００８７】
また、光カプラＣ３、一定発光制御手段３１ａ、利得制御手段３３を有し、ＬＤ１が、ラマン利得帯域Ｇ１用の励起光源、ＬＤ２がラマン利得帯域Ｇ２用の励起光源である。
【００８８】
上り回線Ｌ１ａ側のトーン信号Ｔ１の抽出制御は、フィルタＦ１ａ、平滑化手段３２ａ−１で行われ、上り回線Ｌ１ｂ側のトーン信号Ｔ１の抽出制御は、フィルタＦ１ｂ、平滑化手段３２ｂ−１で行われる。そして、利得制御手段３３は、平均化された規準電圧（抽出信号ｄ１ａ、ｄ１ｂを平均化して生成）と、平均電圧ｍとを比較し、ラマン利得帯域Ｇ２の利得を可変制御する。
【００８９】
図１９は第３の変形例の構成を示す図である。第３の変形例は、図１４で上述した中継装置２０ｂに対応した変形例の構成を持つ。中継装置３０ｂは、光カプラＣ１、Ｃ２、一定発光制御手段３１ａ、ＰＤ、フィルタＦ１〜Ｆｎ、平滑化手段３２ａ−１〜３２ａ−ｎ、利得制御手段３３−２〜３３−ｎを有する。
【００９０】
また、ＬＤ１〜ＬＤｎそれぞれが、ラマン利得帯域Ｇ１〜Ｇｎ用の励起光源であり、合波器３５は、ＬＤ１〜ＬＤｎからの励起光を合波する。中継装置３０ｂは、ラマン利得帯域Ｇ２〜Ｇｎそれぞれの利得を、ラマン利得帯域Ｇ１側に合わせて利得差をなくす制御を行う。
【００９１】
図２０は第４の変形例を示す図である。第４の変形例は、図１５で上述した中継装置２０ｃに対応した変形例の構成を持つ。中継装置３０ｃは、第１の変形例の中継装置３０に対して、あらたに駆動制御手段３６を有する。そして、駆動制御手段３６によってラマン利得帯域Ｇ２側のＬＤ２のＯＮ／ＯＦＦ制御を行う。
【００９２】
以上説明したように、端局装置から、利得帯域毎に周波数が異なり、かつ認識した光信号パワーに応じて変調度または周波数を変化させたトーン信号を送信し、中継装置ではトーン信号にもとづいて、利得帯域毎の利得差をなくすように、ラマン増幅の利得を可変制御する構成とした。これにより、光増幅利得を光信号パワーの変動に応じて柔軟に変化させることができるので、伝送特性の劣化を抑制し、高品質な光伝送制御を行うことが可能になる。
【００９３】
（付記１）  光伝送制御を行う光伝送システムにおいて、
送信した光信号に対し、利得帯域毎の光信号パワーを認識する光信号パワー認識手段と、利得帯域毎に周波数の異なるトーン信号を設定し、前記光信号パワーに応じて、前記トーン信号の成分を変化させるトーン信号設定手段と、前記光信号に前記トーン信号を含めて送信する光送信手段と、から構成される端局装置と、
利得帯域毎に設けられ、制御信号にもとづく利得で光増幅を行う光増幅手段と、前記トーン信号を抽出して、抽出信号を生成するトーン信号抽出手段と、前記抽出信号と規準信号とを比較して、利得帯域毎の利得差をなくすように、前記利得を可変制御するための前記制御信号を生成する利得制御手段と、から構成される中継装置と、
を有することを特徴とする光伝送システム。
【００９４】
（付記２）  前記光増幅手段は、光ファイバ伝送路に励起光を入射して、前記光ファイバ伝送路を増幅媒体とした光増幅を行うことを特徴とする付記１記載の光伝送システム。
【００９５】
（付記３）  前記トーン信号抽出手段は、前記光信号を光／電気変換して電気信号を生成する光／電気変換手段と、前記周波数のフィルタリングを行って前記トーン信号を抽出するフィルタと、前記フィルタを通過した信号を平滑化して前記抽出信号を生成する平滑化手段と、から構成されることを特徴とする付記１記載の光伝送システム。
【００９６】
（付記４）  前記トーン信号設定手段は、前記トーン信号の成分として、変調度または周波数を変化させ、前記利得を上げる場合には、前記変調度を下げるまたは前記周波数を規定周波数から離す制御を行い、前記利得を下げる場合には、前記変調度を上げるまたは前記周波数を規定周波数に近づける制御を行うことを特徴とする付記１記載の光伝送システム。
【００９７】
（付記５）  複数回線に光増幅が行われる場合には、前記抽出信号を平均化する平均化手段をさらに有し、前記利得制御手段は、平均化信号と前記規準信号とを比較して利得制御を行うことを特徴とする付記１記載の光伝送システム。
【００９８】
（付記６）  前記中継装置は、１つの回線に対して、３波長以上の励起光源を有する場合は、励起光を合波する合波手段をさらに有することを特徴とする付記１記載の光伝送システム。
【００９９】
（付記７）  前記光増幅手段のＯＮ／ＯＦＦの駆動制御を行う駆動制御手段をさらに有することを特徴とする付記１記載の光伝送システム。
（付記８）  光伝送制御を行う端局装置において、
送信した光信号に対し、利得帯域毎の光信号パワーを認識する光信号パワー認識手段と、
利得帯域毎に周波数の異なるトーン信号を設定し、前記光信号パワーに応じて、前記トーン信号の成分を変化させるトーン信号設定手段と、
前記光信号に前記トーン信号を含めて送信する光送信手段と、
を有することを特徴とする端局装置。
【０１００】
（付記９）  前記トーン信号設定手段は、前記トーン信号の成分として、変調度または周波数を変化させ、利得を上げる場合には、前記変調度を下げるまたは前記周波数を規定周波数から離す制御を行い、利得を下げる場合には、前記変調度を上げるまたは前記周波数を規定周波数に近づける制御を行うことを特徴とする付記８記載の端局装置。
【０１０１】
（付記１０）  光伝送制御を行う中継装置において、
利得帯域毎に設けられ、制御信号にもとづく利得で光増幅を行う光増幅手段と、
利得帯域毎に異なる周波数が設定されたトーン信号を抽出して、抽出信号を生成するトーン信号抽出手段と、
前記抽出信号と規準信号とを比較して、利得帯域毎の利得差をなくすように、前記利得を可変制御するための前記制御信号を生成する利得制御手段と、
を有することを特徴とする中継装置。
【０１０２】
（付記１１）  前記光増幅手段は、光ファイバ伝送路に励起光を入射して、前記光ファイバ伝送路を増幅媒体とした光増幅を行うことを特徴とする付記１０記載の中継装置。
【０１０３】
（付記１２）  前記トーン信号抽出手段は、前記光信号を光／電気変換して電気信号を生成する光／電気変換手段と、前記周波数のフィルタリングを行って前記トーン信号を抽出するフィルタと、前記フィルタを通過した信号を平滑化して前記抽出信号を生成する平滑化手段と、から構成されることを特徴とする付記１０記載の中継装置。
【０１０４】
（付記１３）  複数回線に光増幅が行われる場合には、前記抽出信号を平均化する平均化手段をさらに有し、前記利得制御手段は、平均化信号と前記規準信号とを比較して利得制御を行うことを特徴とする付記１０記載の中継装置。
【０１０５】
（付記１４）  １つの回線に対して、３波長以上の励起光源を有する場合は、励起光を合波する合波手段をさらに有することを特徴とする付記１０記載の中継装置。
【０１０６】
（付記１５）  前記光増幅手段のＯＮ／ＯＦＦの駆動制御を行う駆動制御手段をさらに有することを特徴とする付記１０記載の中継装置。
（付記１６）  光伝送制御を行う光伝送システムにおいて、
送信した光信号に対し、利得帯域毎の光信号パワーを認識する光信号パワー認識手段と、利得帯域毎に周波数の異なるトーン信号を設定し、前記光信号パワーに応じて、前記トーン信号の成分を変化させるトーン信号設定手段と、前記光信号に前記トーン信号を含めて送信する光送信手段と、から構成される端局装置と、
特定利得帯域に対し、一定発光制御により光増幅を行う第１の光増幅手段と、前記特定利得帯域以外の利得帯域毎に設けられ、制御信号にもとづく利得で光増幅を行う第２の光増幅手段と、前記特定利得帯域の側からトーン信号を抽出して特定抽出信号を生成する特定トーン信号抽出手段と、前記特定利得帯域以外の利得帯域の側からトーン信号を抽出して抽出信号を生成するトーン信号抽出手段と、前記特定抽出信号を規準信号とし、前記抽出信号と前記規準信号とを比較して、利得帯域毎の利得差をなくすように、前記利得を可変制御するための前記制御信号を生成する利得制御手段と、から構成される中継装置と、
を有することを特徴とする光伝送システム。
【０１０７】
（付記１７）  前記第１の光増幅手段及び前記第２の光増幅手段は、光ファイバ伝送路に励起光を入射して、前記光ファイバ伝送路を増幅媒体とした光増幅を行うことを特徴とする付記１６記載の光伝送システム。
【０１０８】
（付記１８）  前記特定トーン信号抽出手段及び前記トーン信号抽出手段は、前記光信号を光／電気変換して電気信号を生成する光／電気変換手段と、前記周波数のフィルタリングを行って前記トーン信号を抽出するフィルタと、前記フィルタを通過した信号を平滑化して前記特定抽出信号または前記抽出信号を生成する平滑化手段と、から構成されることを特徴とする付記１６記載の光伝送システム。
【０１０９】
（付記１９）  前記トーン信号設定手段は、前記トーン信号の成分として、変調度または周波数を変化させ、前記利得を上げる場合には、前記変調度を下げるまたは前記周波数を規定周波数から離す制御を行い、前記利得を下げる場合には、前記変調度を上げるまたは前記周波数を規定周波数に近づける制御を行うことを特徴とする付記１６記載の光伝送システム。
【０１１０】
（付記２０）  複数回線に光増幅が行われる場合には、前記抽出信号を平均化する平均化手段をさらに有し、前記利得制御手段は、平均化信号と前記規準信号とを比較して利得制御を行うことを特徴とする付記１６記載の光伝送システム。
【０１１１】
（付記２１）  前記中継装置は、１つの回線に対して、３波長以上の励起光源を有する場合は、励起光を合波する合波手段をさらに有することを特徴とする付記１６記載の光伝送システム。
【０１１２】
（付記２２）  前記第２の光増幅手段のＯＮ／ＯＦＦの駆動制御を行う駆動制御手段をさらに有することを特徴とする付記１６記載の光伝送システム。
（付記２３）  光伝送制御を行う中継装置において、
特定利得帯域に対し、一定発光制御により光増幅を行う第１の光増幅手段と、
前記特定利得帯域以外の利得帯域毎に設けられ、制御信号にもとづく利得で光増幅を行う第２の光増幅手段と、
利得帯域毎に異なる周波数が設定されたトーン信号に対し、前記特定利得帯域の側からトーン信号を抽出して特定抽出信号を生成する特定トーン信号抽出手段と、
前記特定利得帯域以外の利得帯域の側からトーン信号を抽出して抽出信号を生成するトーン信号抽出手段と、
前記特定抽出信号を規準信号とし、前記抽出信号と前記規準信号とを比較して、利得帯域毎の利得差をなくすように、前記利得を可変制御するための前記制御信号を生成する利得制御手段と、
を有することを特徴とする中継装置。
【０１１３】
（付記２４）  前記第１の光増幅手段及び前記第２の光増幅手段は、光ファイバ伝送路に励起光を入射して、前記光ファイバ伝送路を増幅媒体とした光増幅を行うことを特徴とする付記２３記載の中継装置。
【０１１４】
（付記２５）  前記特定トーン信号抽出手段及び前記トーン信号抽出手段は、前記光信号を光／電気変換して電気信号を生成する光／電気変換手段と、前記周波数のフィルタリングを行って前記トーン信号を抽出するフィルタと、前記フィルタを通過した信号を平滑化して前記特定抽出信号または前記抽出信号を生成する平滑化手段と、から構成されることを特徴とする付記２３記載の中継装置。
【０１１５】
（付記２６）  複数回線に光増幅が行われる場合には、前記抽出信号を平均化する平均化手段をさらに有し、前記利得制御手段は、平均化信号と前記規準信号とを比較して利得制御を行うことを特徴とする付記２３記載の中継装置。
【０１１６】
（付記２７）  １つの回線に対して、３波長以上の励起光源を有する場合は、励起光を合波する合波手段をさらに有することを特徴とする付記２３記載の中継装置。
【０１１７】
（付記２８）  前記第２の光増幅手段のＯＮ／ＯＦＦの駆動制御を行う駆動制御手段をさらに有することを特徴とする付記２３記載の中継装置。
【０１１８】
【発明の効果】
光増幅利得を光信号パワーの変動に応じて柔軟に変化させることができるので、伝送特性の劣化を抑制し、高品質な光伝送制御を行うことが可能になる。
【図面の簡単な説明】
【図１】  光伝送システムの原理図である。
【図２】中継器を示す図である。
【図３】光増幅部の特性を示す図である。
【図４】ラマン利得帯域を示す図である。
【図５】問題点を説明するための図である。
【図６】中継装置の構成を示す図である。
【図７】変調度を説明する図である。
【図８】トーン信号の変調度と利得の関係をグラフで示した図である。
【図９】変調度と利得の関係を示す概念図である。（Ａ）は変調度が等しい場合、（Ｂ）は一方のトーン信号の変調度が他方より弱い場合、（Ｃ）は一方のトーン信号の変調度が他方より強い場合である。
【図１０】トーン信号の周波数と利得の関係をグラフで示した図である。
【図１１】周波数と利得の関係を示す概念図である。（Ａ）は周波数間隔が等しい場合、（Ｂ）は一方のトーン信号の周波数間隔が他方より大きい場合、（Ｃ）は一方のトーン信号の周波数間隔が他方より小さい場合である。
【図１２】端局装置の動作を示すフローチャートである。
【図１３】第２の実施の形態の構成を示す図である。
【図１４】第３の実施の形態の構成を示す図である。
【図１５】第４の実施の形態の構成を示す図である。
【図１６】光伝送システムの変形例を示す原理図である。
【図１７】中継装置の構成を示す図である。
【図１８】第２の変形例の構成を示す図である。
【図１９】第３の変形例の構成を示す図である。
【図２０】第４の変形例の構成を示す図である。
【符号の説明】
１  光伝送システム
１０  端局装置
１１  光信号パワー認識手段
１２  トーン信号設定手段
１３  光送信手段
２０  中継装置
２１−１、２１−２  光増幅手段
２２−１、２２−２  トーン信号抽出手段
２３−１、２３−２  利得制御手段
Ｌ１  光ファイバ伝送路上り回線
ｄ１、ｄ２  抽出信号
ｃｎｔ１、ｃｎｔ２  制御信号
Ｇ１、Ｇ２  ラマン利得帯域
ｇ１、ｇ２  信号群
【図１】
0004651231.tif 000002
【図２】
0004651231.tif 000003
【図３】
0004651231.tif 000004
【図４】
0004651231.tif 000005
【図５】
0004651231.tif 000006
【図６】
0004651231.tif 000007
【図７】
0004651231.tif 000008
【図８】
0004651231.tif 000009
【図９】
0004651231.tif 000010
【図１０】
0004651231.tif 000011
【図１１】
0004651231.tif 000012
【図１２】
0004651231.tif 000013
【図１３】
0004651231.tif 000014
【図１４】
0004651231.tif 000015
【図１５】
0004651231.tif 000016
【図１６】
0004651231.tif 000017
【図１７】
0004651231.tif 000018
【図１８】
0004651231.tif 000019
【図１９】
0004651231.tif 000020
【図２０】
0004651231.tif 000021